(57)【要約】      （修正有）【課題】く字形接合部で頂部が接合された２個の熱交換器の当該く字形接合部に長尺シール材を簡単に取り付けることができるようにした空気調和機を提供する。【解決手段】第１熱交換器の頂部４Ａと第２熱交換器４Ｂの頂部を接合して、く字形接合部とした熱交換器を備える空気調和機において、熱交換器のく字形接合部４Ｄを熱交換器の外部から覆うようにく字形接合部４Ｄの長手方向に沿って配置される断面がく字形形状の長尺シール材２０と、第１アーム３１と第２アーム３２と折曲部とを有し第１アーム３１及び第２アーム３２が長尺シール材２０をく字形接合部４Ｄに対して押し付ける金属線材からなる弾性バンド３０とを備える。その弾性バンド３０は、第１アーム３１に第１熱交換器４Ａの冷媒配管４Ａ１に係合する第１係合凹部３１ａが形成され、第２アーム３２に第２熱交換器４Ｂの冷媒配管４Ｂ１に係合する第２係合凹部３２ａが形成されている。【選択図】図１
2018159489.tif 000002
【特許請求の範囲】
【請求項１】
第１冷媒配管を備えた第１熱交換器の頂部と第２冷媒配管を備えた第２熱交換器の頂部を接合した接合部を側面視でく字形接合部とした熱交換器を備える空気調和機において、
前記熱交換器の前記く字形接合部を前記熱交換器の外部から覆うように前記く字形接合部の長手方向に沿って配置される断面がく字形形状の長尺シール材と、第１アームと第２アームと前記第１アーム及び前記第２アームを連続させる折曲部とを有し前記第１アーム及び前記第２アームが前記長尺シール材を前記く字形接合部に対して押し付ける金属線材からなる弾性バンドとを備え、
前記弾性バンドは、前記第１アームに前記第１熱交換器の前記第１冷媒配管に係合する第１係合凹部が形成され、前記第２アームに前記第２熱交換器の前記第２冷媒配管に係合する第２係合凹部が形成されていることを特徴とする空気調和機。
【請求項２】
請求項１に記載の空気調和機において、
前記長尺シール材は、その表面に、前記長手方向に直交する方向に１又は２以上のガイド溝が形成され、該ガイド溝に前記弾性バンドの前記折曲部がガイドされることを特徴とする空気調和機。
【請求項３】
請求項１又は２に記載の空気調和機において、
前記弾性バンドの前記第１アームは、前記折曲部から前記第１係合凹部までの長さが、前記第２アームの前記折曲部から前記第２係合凹部までの長さと異なっていることを特徴とする空気調和機。
【請求項４】
請求項１、２又は３に記載の空気調和機において、
前記弾性バンドは、前記第１アーム又は前記第２アームの端部に連続して、先端に把持部を備えた操作アームが形成されていることを特徴とする空気調和機。
【発明の詳細な説明】
【技術分野】
【０００１】
本発明は、第１熱交換器の頂部と第２熱交換器の頂部を接合した接合部を側面視でく字形接合部とした熱交換器を備える空気調和機に関する。
【背景技術】
【０００２】
空気調和機の例えば壁掛型の室内機は、図５に示すように構成されている（例えば、特許文献１）。１は筐体、２は筐体１の前側に上方向に開放可能に設けられた吸込グリル、３はその吸込グリル２の内側に配置されたフロントパネルである。そして、そのフロントパネル３と筐体１の間に熱交換器４が組み込まれている。５は送風ファンである。
【０００３】
この室内機では、送風ファン５を回転駆動させることにより、吸込グリル２の下部の吸込口６やフロントパネル３の上面の吸込口７から吸い込まれた空気が、熱交換器４によって冷媒と熱交換され、その空気が冷房の場合は冷却され、暖房の場合は加熱されて、下部の吹出口８から吹き出される。９は吹出空気を左右の一方の方向にガイドする左右風向板、１０は吹出空気を上下の一方の方向にガイドする上下フラップである。
【０００４】
熱交換器４は、熱交換の効率向上や設置スペース削減のために、第１熱交換器４Ａと第２熱交換器４Ｂを側面視でく字形に形成している。そして、それら第１熱交換器４Ａ、第２熱交換器４Ｂの接合部の外側にできるく字形形状の溝形接合部４Ｃに、その溝形接合部４Ｃ付近のフィンの潰れを隠したりそこを空気が通過できないようにするために、く字形形状の長尺シール材１１が、図５の紙面に垂直方向に装着されている。
【０００５】
一方、第１熱交換器４Ａ、第２熱交換器４Ｂを側面視で図５に示したようにく字形形状に組み立てながらも、図６に示すように、接合端部が外側に突出するく字形接合部４Ｄとする場合がある。この場合には、そのく字形接合部４Ｄに載せる長尺シール材１２もその横断面形状をく字形形状にする必要がある。しかし、このく字形形状の長尺シール材１２は、図５で説明したく字形形状の長尺シール材１１とは異なって、く字形接合部４Ｄに載せたままでは空気調和機の動作に伴う振動等によってそのく字形接合部４Ｄから脱落する恐れがある。
【０００６】
そこで、その長尺シール材１２を第１熱交換器４Ａと第２熱交換器４Ｂのく字形接合部４Ｄに固定させるために、両側にアーム１３ａ，１３ｂが一体に形成された爪片１３を使用することが考えられた。この爪片１３の取り付けは、一方のアーム１３ａの内側に形成された係合凹部１３ａ１を第１熱交換器４Ａの冷媒配管４Ａ１に係合させ、他方のアーム１３ｂの内側に形成された係合凹部１３ｂ１を第２熱交換器４Ｂの冷媒配管４Ｂ１に係合させることになる。
【先行技術文献】
【特許文献】
【０００７】
【特許文献１】特開２０１５−０２１６７６号公報
【発明の概要】
【発明が解決しようとする課題】
【０００８】
ところが、長尺シール材１２を第１熱交換器４Ａと第２熱交換器４Ｂの接合部に対して押えこむ爪片１３は、アーム１３ａ，１３ｂが開く方向に弾性力を発揮させるために樹脂で成形されるので、必要な強度を得るには所定の板厚にする必要がある。しかし、実際には、要求される板厚は第１熱交換器４Ａ、第２熱交換器４Ｂのフィン間隔よりも大幅に厚くなるので、取り付けの際にフィンを潰す恐れが高く、またやり直しには時間がかかり、取付作業に高度な熟練が必要になるという問題があった。
【０００９】
本発明の目的は、く字形接合部で頂部が接合された２個の熱交換器の当該く字形接合部に長尺シール材を簡単に取り付けることができるようした空気調和機を提供することである。
【課題を解決するための手段】
【００１０】
上記目的を達成するために、請求項１にかかる発明は、第１冷媒配管を備えた第１熱交換器の頂部と第２冷媒配管を備えた第２熱交換器の頂部を接合した接合部を側面視でく字形接合部とした熱交換器を備える空気調和機において、前記熱交換器の前記く字形接合部を前記熱交換器の外部から覆うように前記く字形接合部の長手方向に沿って配置される断面がく字形形状の長尺シール材と、第１アームと第２アームと前記第１アーム及び前記第２アームを連続させる折曲部とを有し前記第１アーム及び前記第２アームが前記長尺シール材を前記く字形接合部に対して押し付ける金属線材からなる弾性バンドとを備え、前記弾性バンドは、前記第１アームに前記第１熱交換器の前記第１冷媒配管に係合する第１係合凹部が形成され、前記第２アームに前記第２熱交換器の前記第２冷媒配管に係合する第２係合凹部が形成されていることを特徴とする。
請求項２にかかる発明は、請求項１に記載の空気調和機において、前記長尺シール材は、その表面に、前記長手方向に直交する方向に１又は２以上のガイド溝が形成され、該ガイド溝に前記弾性バンドの前記折曲部がガイドされることを特徴とする。
請求項３にかかる発明は、請求項１又は２に記載の空気調和機において、前記弾性バンドの前記第１アームは、前記折曲部から前記第１係合凹部までの長さが、前記第２アームの前記折曲部から前記第２係合凹部までの長さと異なっていることを特徴とする。
請求項４にかかる発明は、請求項１、２又は３に記載の空気調和機において、前記弾性バンドは、前記第１アーム又は前記第２アームの端部に連続して、先端に把持部を備えた操作アームが形成されていることを特徴とする。
【発明の効果】
【００１１】
本発明によれば、長尺シール材を第１熱交換器と第２熱交換器のく字形接合部に外部から押さえ付けるための弾性バンドとして金属線材を使用するので、長尺シール材の固定作業が簡単となり、高い熟練度は不要となる。また、その金属線材は、その太さを熱交換器のフィンの間隔よりも細くしても必要十分な強度と弾性力を得ることでき、その着脱の際にフィンを潰す恐れもなくなる。
【図面の簡単な説明】
【００１２】
【図１】本発明の実施例の熱交換器に対する長尺シール材の取付説明図である。
【図２】同実施例の熱交換器の長尺シール材と弾性バンドの分解斜視図である。
【図３】弾性バンドの平面図である。
【図４】同実施例の熱交換器の弾性バンドを逆に取り付けた場合の説明図である。
【図５】従来の一般的な室内機の断面図である。
【図６】従来の熱交換器に対する長尺シール材の取付説明図である。
【発明を実施するための形態】
【００１３】
図１において、４Ａは第１熱交換器、４Ｂは第２熱交換器であり、それらを端部において接合することで側面視でく字形形状となるように熱交換器４が形成されている。そして、図６で説明したのと同様に接合端部が外側に突出するく字形接合部４Ｄとなっている。
【００１４】
２０はそのく字形接合部４Ｄに載せてそのく字形接合部４Ｄを覆い隠すための長尺シール材であり、その横断面形状がく字形接合部４Ｄの形状に合わせたく字形形状になっている。そして、この長尺シール材２０は、図２に示すように、ほぼ９０度の角度で開いた長尺の第１側辺２１ａと長尺の第２側辺２１ｂで構成され、両側辺２１ａ，２１ｂの外面（図２では表面）には長手方向に直交する方向に連続して所定ピッチで一対のリブ２２が複数対だけ形成され、各対のリブ２２の内側はガイド溝２３となっている。
【００１５】
３０は弾性バンドであり、第１熱交換器４Ａ、第２熱交換器４Ｂのフィンの相互間隔よりもその直径が小さい鋼材等の金属線材を折り曲げて、短尺アーム３１、長尺アーム３２、操作アーム３３となるよう形成されている。すなわち、この弾性バンド３０は、図３に示すように、短尺アーム３１と長尺アーム３２は折曲部３４で折り曲げられ、操作アーム３３は長尺アーム３２とほぼ直交し且つ短尺アーム３１にほぼ平行に並ぶように折曲部３５で折り曲げられている。そして、短尺アーム３１の先端部には外側に突出した半円形状の係合凹部３１ａが形成され、長尺アーム３２の操作アーム３３との連続部分にも外側に突出した半円形状の係合凹部３２ａが形成され、操作アーム３３の自由端（先端）には指で摘むことができるように折り曲げた把持部３３ａが形成されている。折曲部３４において折り曲げられる短尺アーム３１と長尺アーム３２の形状は、第１熱交換器４Ａ、第２熱交換器４Ｂのく字形接合部４Ｄに対応したく字形形状になる形状である。つまり、短尺アーム３１の折曲部３４から係合凹部３１ａまでの長さは、長尺アーム３２の折曲部３４から係合凹部３２ａまでの長さよりも短く、短尺アーム３１と長尺アーム３２は非対称の形状になっている。
【００１６】
さて、第１熱交換器４Ａ、第２熱交換器４Ｂのく字形接合部４Ｄに長尺シール材２０を取り付けるには、まず、その長尺シール材２０をく字形接合部４Ｄのく字形形状に合わせて、そのく字形接合部４Ｄを覆うようにそこに被せる。そして、弾性バンド３０の操作アーム３３の把持部３３ａを指で摘んで、図１に示すように、短尺アーム３１の係合凹部３１ａを第２熱交換器４Ｂの１個の冷媒配管４Ｂ１に外側から嵌め込み、短尺アーム３１と長尺アーム３２の間の折曲部３４を長尺シール材２０のガイド溝２３に架け渡し、長尺アーム３２の係合凹部３２ａを第１熱交換器４Ａの１個の冷媒配管４Ａ１に外側から嵌め込む。これにより、弾性バンド３０の短尺アーム３１と長尺アーム３２が、第１熱交換器４Ａと第２熱交換器４Ｂのく字形接合部４Ｄの外面に沿って、長尺シール材２０を脱落不能に外側から押し付ける。
【００１７】
このようにして、複数の弾性バンド３０を、長尺シール材２０の複数のガイド溝２３内に個々に架け渡して第１熱交換器４Ａと第２熱交換器４Ｂに取り付ければ、その長尺シール材２０の長手方向の全体が、第１熱交換器４Ａと第２熱交換器４Ｂのく字形接合部４Ｄに脱落不能に押し付けられる。
【００１８】
弾性バンド３０の取り外しは、操作アーム３３の把持部３３ａを指で摘んで持ち上げ、まず手前の長尺アーム３２の係合凹部３２ａを第１熱交換器４Ａの冷媒配管４Ａ１から外し、続けて操作アーム３３をさらに持ち上げて、奥側の短尺アーム３１の係合凹部３１ａを第２熱交換器４Ｂの冷媒配管４Ｂ１から外せばよい。
【００１９】
なお、弾性バンド３０を取り付ける際に、短尺アーム３１の係合凹部３１ａを第１熱交換器４Ａの冷媒配管４Ａ１に係合させたときは、図４に示すように、長尺アーム３２の係合凹部３２ａを第２熱交換器４Ｂに係合できたとしても、長尺シール材２０を正常に押さえ付けることはできない。これは、短尺アーム３１と長尺アーム３２の形状が非対称となっているためである。このときは、弾性バンド３０の取り付けを強行すると、長尺シール材２０に圧接して熱交換器４のフィンを潰す恐れがあり、また弾性バンド３０自体が変形するおそれもある。このように弾性バンド３０の取り付け方向を逆したときは、その取付間違いチェックすることは容易であり、その弾性バンド３０を取り外してやり直すのは容易である。
【００２０】
以上のように、本実施例では、長尺シール材２０を第１熱交換器４Ａと第２熱交換器４Ｂのく字形接合部４Ｄに外側から押さえ付けるために弾性バンド３０を使用するので、長尺シール材２０の固定作業が簡単となり、高い熟練度は不要となる。また、その弾性バンド３０は金属線材からなるので、その太さを熱交換器のフィンの間隔よりも細くしても必要十分な強度と弾性力を得ることでき、その着脱の際に第１熱交換器４Ａや第２熱交換器４Ｂのフィンを潰す恐れもない。
【００２１】
なお、操作アーム３３は短尺アーム３１、長尺アーム３２のいずれに連続させてもよく、請求項に記載の弾性バンドの第１アームは短尺アーム３１と長尺アーム３２の一方が対応し、第２アームは他方が対応している。
【００２２】
また、以上の実施例では、壁掛型の室内機に適用する場合を例として、第１熱交換器４Ａと第２熱交換器４Ｂからなる熱交換器４をく字形接合部４Ｄが外側に位置する図１、図２、図４に示す姿勢で室内機の内部に配置される例について説明した。ダクト型の室内機に適用する場合は、第１熱交換器４Ａと第２熱交換器４Ｂの一方が上側熱交換器となり他方が下側熱交換器となって、横姿勢（図１の姿勢を９０度傾けた姿勢）で、ダクト内にく字形接合部４Ｄが吹出口又は吸込口の一方を向くように配置される。このようにダクト型室内機に適用した場合であっても、弾性バンド３０は長尺シール材２０を脱落させることなくく字形接合部４Ｄに押さえ付けることができ、ダクト型室内機にも好適である。
【符号の説明】
【００２３】
１：室内機筐体、２：吸込グリル、３：フロントパネル、４：熱交換器、４Ａ：第１熱交換器、４Ｂ：第２熱交換器、４Ｃ：溝形接合部、４Ｄ：く字形接合部、５：送風ファン、６,7：吸込口、８：吹出口、９：左右ベーン、１０：上下フラップ、１１，１２：長尺シール材、１３：爪片、１３ａ：アーム、１３ａ１：係合凹部、１３ｂ：アーム、１３ｂ１：係合凹部
２０：長尺シール材、２１ａ：第１側辺，２１ｂ：第２側辺、２２：リブ、２３：ガイド溝
３０：弾性バンド、３１：短尺アーム、３１ａ：係合凹部、３２：長尺アーム、３２ａ：係合凹部、３３：操作アーム、３３ａ：把持部，３４，３５：折曲部
【図１】
2018159489.tif 000003
【図２】
2018159489.tif 000004
【図３】
2018159489.tif 000005
【図４】
2018159489.tif 000006
【図５】
2018159489.tif 000007
【図６】
2018159489.tif 000008